(57)【特許請求の範囲】
【請求項１】
底縁にガゼット部を有し、両側縁が袋の深さ方向に溶着され、ガゼット部フイルムと袋表面フイルムの各１対が、袋両側縁のガゼット内折り端から袋底縁に斜方向に溶着され古紙収納時に長方形の底面を有する直方体形状が形成されるプラスチックフイルム製の古紙回収袋において、袋の上縁より底面を経由して、対向する袋上縁に達する３本以上のミシン目を有し、古紙収納後にミシン目において切断することにより、収納古紙を結束する「袋体側面の高さの２倍＋底面の幅」の長さのミシン目によって区切られたテープ状領域が袋の側面及び底面に形成されることを特徴とする古紙回収袋。
【請求項２】
２本のミシン目が、袋体の側面の中央線に対して左右対称に設けられ、さらに、該２本のミシン目の外側に１本又は複数本のミシン目が設けられてなる請求項１記載の古紙回収袋。
【請求項３】
両側縁にガゼット部を有し、底縁が袋の幅方向に直線状に溶着され、古紙収納時に長方形の底面を有する直方体形状が形成されるプラスチックフイルム製の古紙回収袋において、袋の上縁より底面を経由して、対向する袋上縁に達する３本以上のミシン目を有し、古紙収納後にミシン目において切断することにより、収納古紙を結束する「袋体側面の高さの２倍＋底面の幅」の長さのミシン目によって区切られたテープ状領域が袋の側面及び底面に形成されることを特徴とする古紙回収袋。
【請求項４】
２本のミシン目が、袋の中央線に対して左右対称に設けられ、さらに該２本のミシン目の外側に１本又は複数本のミシン目が設けられてなる請求項３記載の古紙回収袋。
【請求項５】
長尺のチューブ状のプラスチックフイルムを移送しつつ、（１）両側縁に１対のＶ字形のガゼット部を有する帯状フイルムを形成する工程、（２）一方のガゼット部の間に断熱性の受け台を挿入し、受け台の両側から熱溶着刃を押し付けて帯状フイルムの各１枚の表面フイルムとガゼット部フイルムをＶ字形に溶着する工程、（３）他方のガゼット部の内折り線において、切断刃を入れて切断する工程、（４）隣接するＶ字形溶着線の中間の位置に左右対称な２本のミシン目と、さらに該ミシン目よりＶ字形溶着線寄りに１本又は複数本のミシン目を入れる工程、（５）Ｖ字形溶着線のＶ字の頂点近傍において、各２枚の表面フイルムとガゼット部フイルムを幅方向に溶着する工程及び（６）帯状フイルムをＶ字形溶着線のＶ字の頂点において幅方向に切断する工程を有することを特徴とする古紙回収袋の製造方法。
【請求項６】
長尺のチューブ状のプラスチックフイルムを移送しつつ、（１）両側縁に１対のＶ字形のガゼット部を有する帯状フイルムを形成する工程、（２）ガゼット部の間に断熱性の受け台を挿入し、受け台の両側から熱溶着刃を押し付けて帯状フイルムの各１枚の表面フイルムとガゼット部フイルムをＶ字形に溶着する工程、（３）帯状フイルムの中央において、帯状フイルムを長手方向に切断する工程、（４）隣接するＶ字形溶着線の中間の位置に左右対称な２本のミシン目と、さらに該ミシン目よりＶ字形溶着線寄りに１本又は複数本のミシン目を入れる工程、（５）Ｖ字形溶着線のＶ字の頂点近傍において、各２枚の表面フイルムとガゼット部フイルムを幅方向に溶着する工程及び（６）帯状フイルムをＶ字形溶着線のＶ字の頂点において幅方向に切断する工程を有することを特徴とする古紙回収袋の製造方法。
【請求項７】
長尺のチューブ状のプラスチックフイルムを移送しつつ、（１）両側縁に１対のＶ字形のガゼット部を有する帯状フイルムを形成する工程、（２）帯状フイルムの長手方向に、中央線に対して左右対称な２本のミシン目と、該ミシン目より帯状フイルムの側縁寄りに１本又は複数本のミシン目を入れる工程、（３）帯状フイルムの幅方向に各２枚の表面フイルムとガゼット部フイルムすべてを直線状に溶着する工程及び（４）幅方向の溶着線の近傍で帯状フイルムを切断する工程を有することを特徴とする古紙回収袋の製造方法。
【発明の詳細な説明】
【０００１】
【発明の属する技術分野】
本発明は、古紙回収袋に関する。さらに詳しくは、本発明は、古紙収納時には長方形の底面を有する袋形状をなし、古紙収納後に袋に設けられたミシン目において切断することにより、袋の側面に複数本のテープが形成され、該テープにより古紙を結束することができる古紙回収袋に関する。
【０００２】
【従来の技術】
新聞、チラシ、雑誌などの古紙の回収と再利用は、パルプ原木資源の節約と国内外の森林資源の温存につながる。また、古紙を回収し再利用することにより、固形廃棄物としての自治体によるゴミ収集と処理への負担を軽減することができる。古紙の利用は、パルプの代替として経済的に有利であるばかりでなく、資源環境問題への寄与が大きい。このために、各家庭からの新聞などの古紙の回収が積極的に進められている。
回収された古紙は、古紙集荷段階において選別が行われる。この工程は人手に頼らざるを得ないが、以後の機械的処理や古紙パルプの品質への影響が大きい。従来、新聞、チラシ、雑誌などの古紙は、紙袋又はプラスチックフイルム製の袋に収納され、各家庭より回収されていた。しかし、古紙を選別するためには、いったん袋から取り出す必要があり、多くの手間がかかっていた。このために、古紙集荷業者より、袋に収納した状態でなく、紐でしばった状態で各家庭より古紙を提供してほしいという要望が出されるようになった。紐でしばった状態であれば、紐を切断することにより、容易に選別する状態とすることができる。
しかし、一般家庭において、古紙を紐でしばった状態で提供することは、それほど簡単なことではない。読了後の新聞は、不規則に折り畳まれた状態となりやすく、さらにチラシや雑誌が加わると、そのままで積み重ねることは困難であり、いったん袋に収納したのち取り出して、あらためて紐でしばったり、あるいは、あらかじめ紐を設置しておくことができる特殊なプラスチック容器などを用いる必要があった。
このために、家庭において、手間をかけることなく、簡単に古紙を紐でしばった状態とすることができる古紙の収納手段が求められていた。
【０００３】
【発明が解決しようとする課題】
本発明は、古紙収納時には長方形の底面を有する袋形状をなし、古紙収納後に袋に設けられたミシン目において切断することにより、袋の側面に複数本のテープが形成され、該テープにより古紙を結束することにより、手間をかけることなく、簡単に古紙を紐でしばった状態とすることができる古紙回収袋及びその製造方法を提供することを目的としてなされたものである。
【０００４】
【課題を解決するための手段】
本発明者は、上記の課題を解決すべく鋭意研究を重ねた結果、古紙収納時に長方形の底面が形成されるプラスチックフイルム製の古紙回収袋において、袋上縁より縁底面に達する複数本のミシン目を設け、古紙収納後にミシン目において切断することにより、袋の一対の側面の中央に袋上縁より袋底面に達する１本のテープと、該テープの他に１本又は複数本のテープを形成し、中央のテープにより古紙を結束したのち、他のテープでさらに古紙を結束することにより、容易に古紙を紐でしばった状態となし得ることを見いだし、この知見に基づいて本発明を完成するに至った。
すなわち、本発明は、
（１）底縁にガゼット部を有し、両側縁が袋の深さ方向に溶着され、ガゼット部フイルムと袋表面フイルムの各１対が、袋両側縁のガゼット内折り端から袋底縁に斜方向に溶着され古紙収納時に長方形の底面を有する直方体形状が形成されるプラスチックフイルム製の古紙回収袋において、袋の上縁より底面を経由して、対向する袋上縁に達する３本以上のミシン目を有し、古紙収納後にミシン目において切断することにより、収納古紙を結束する「袋体側面の高さの２倍＋底面の幅」の長さのミシン目によって区切られたテープ状領域が袋の側面及び底面に形成されることを特徴とする古紙回収袋、
（２）２本のミシン目が、袋体の側面の中央線に対して左右対称に設けられ、さらに、該２本のミシン目の外側に１本又は複数本のミシン目が設けられてなる第１項記載の古紙回収袋、
（３）両側縁にガゼット部を有し、底縁が袋の幅方向に直線状に溶着され、古紙収納時に長方形の底面を有する直方体形状が形成されるプラスチックフイルム製の古紙回収袋において、袋の上縁より底面を経由して、対向する袋上縁に達する３本以上のミシン目を有し、古紙収納後にミシン目において切断することにより、収納古紙を結束する「袋体側面の高さの２倍＋底面の幅」の長さのミシン目によって区切られたテープ状領域が袋の側面及び底面に形成されることを特徴とする古紙回収袋、
（４）２本のミシン目が、袋の中央線に対して左右対称に設けられ、さらに該２本のミシン目の外側に１本又は複数本のミシン目が設けられてなる第３項記載の古紙回収袋、
（５）長尺のチューブ状のプラスチックフイルムを移送しつつ、(１)両側縁に１対のＶ字形のガゼット部を有する帯状フイルムを形成する工程、(２)一方のガゼット部の間に断熱性の受け台を挿入し、受け台の両側から熱溶着刃を押し付けて帯状フイルムの各１枚の表面フイルムとガゼット部フイルムをＶ字形に溶着する工程、(３)他方のガゼット部の内折り線において、切断刃を入れて切断する工程、(４)隣接するＶ字形溶着線の中間の位置に左右対称な２本のミシン目と、さらに該ミシン目よりＶ字形溶着線寄りに１本又は複数本のミシン目を入れる工程、(５)Ｖ字形溶着線のＶ字の頂点近傍において、各２枚の表面フイルムとガゼット部フイルムを幅方向に溶着する工程及び(６)帯状フイルムをＶ字形溶着線のＶ字の頂点において幅方向に切断する工程を有することを特徴とする古紙回収袋の製造方法、
（６）長尺のチューブ状のプラスチックフイルムを移送しつつ、(１)両側縁に１対のＶ字形のガゼット部を有する帯状フイルムを形成する工程、(２)ガゼット部の間に断熱性の受け台を挿入し、受け台の両側から熱溶着刃を押し付けて帯状フイルムの各１枚の表面フイルムとガゼット部フイルムをＶ字形に溶着する工程、(３)帯状フイルムの中央において、帯状フイルムを長手方向に切断する工程、(４)隣接するＶ字形溶着線の中間の位置に左右対称な２本のミシン目と、さらに該ミシン目よりＶ字形溶着線寄りに１本又は複数本のミシン目を入れる工程、(５)Ｖ字形溶着線のＶ字の頂点近傍において、各２枚の表面フイルムとガゼット部フイルムを幅方向に溶着する工程及び(６)帯状フイルムをＶ字形溶着線のＶ字の頂点において幅方向に切断する工程を有することを特徴とする古紙回収袋の製造方法、及び、
（７）長尺のチューブ状のプラスチックフイルムを移送しつつ、(１)両側縁に１対のＶ字形のガゼット部を有する帯状フイルムを形成する工程、(２)帯状フイルムの長手方向に、中央線に対して左右対称な２本のミシン目と、該ミシン目より帯状フイルムの側縁寄りに１本又は複数本のミシン目を入れる工程、(３)帯状フイルムの幅方向に各２枚の表面フイルムとガゼット部フイルムすべてを直線状に溶着する工程及び(４)幅方向の溶着線の近傍で帯状フイルムを切断する工程を有することを特徴とする古紙回収袋の製造方法、
を提供するものである。
【０００５】
【発明の実施の形態】
本発明の古紙回収袋は、古紙収納時に長方形の底面が形成されるプラスチックフイルム製の古紙回収袋において、袋上縁より縁底面に達する３本以上のミシン目を有し、古紙収納後にミシン目において切断することにより、収納された古紙を結束する２本以上のテープが袋の一対の側面に形成される古紙回収袋である。使用するプラスチックフイルムに特に制限はなく、例えば、低密度ポリエチレン、高密度ポリエチレン、線状低密度ポリエチレン、ポリプロピレンなどのフイルムを挙げることができる。本発明の古紙回収袋の寸法に特に制限はなく、収納する古紙の種類に応じて適宜選択することができる。新聞古紙回収袋として使用する場合は、底面の短辺と長辺が、それぞれ２６cm程度と３４cm程度であることが好ましい。
本発明の古紙回収袋の一態様は、底縁にガゼット部を有し、両側縁が袋の深さ方向に溶着され、ガゼット部フイルムと袋表面フイルムの各１対が、袋両側縁のガゼット内折り端から袋底縁に斜方向に溶着され、袋側面に、袋上縁より袋底縁に達する３本以上のミシン目が設けられてなる古紙回収袋である。図１(ａ)は、本態様の古紙回収袋の平面図であり、図１(ｂ)は、そのＡ−Ａ線切断部端面図であり、図１(ｃ)は、袋を開いた状態を示す斜視図であり、図１(ｄ)は、収納された古紙を結束した状態を示す斜視図である。本態様の古紙回収袋は、袋上縁より袋底面に達する３本のミシン目１を有し、古紙収納後にミシン目において切断することにより、収納された古紙を結束する中央のテープ２と側方のテープ３の合計２本のテープが一対の側面に形成される。
【０００６】
本態様の古紙回収袋は、底縁にガゼット部４、上縁に折り返し５を有し、両側縁６が袋の深さ方向に溶着され、ガゼット部フイルム７と袋表面フイルム８の各１対が、袋両側縁のガゼット内折り端９から袋底縁に斜方向に溶着されて傾斜溶着線１０が形成され、袋側面に袋上縁より袋底縁に達する３本のミシン目１が設けられている。３本のミシン目は、２本のミシン目が袋の中央線に対して左右対称に設けられ、残りの１本のミシン目がさらにその外側、すなわち、側縁寄りに設けられている。本態様の古紙回収袋を開くと、傾斜溶着線と側縁の交点１１を頂点とする長方形の底面を有する直方体状の袋となる。
本態様の古紙回収袋を使用するときは、袋を開いて図１(ｃ)に示す長方形の底面を有する状態とする。この状態においては、本態様の古紙回収袋は、その形態において、従来の紙製やプラスチックフイルム製の古紙回収袋となんら異なる点はないので、例えば、読了後の新聞紙を折り畳んで逐次投入していくと、投入された新聞紙は袋の形状にしたがっておおむね揃えられ、積み重ねられていく。本態様の古紙回収袋のように、袋の上縁に折り返しがあると、袋を開いた状態としたときの形態保持性がよく、また、折り返しを展くことにより、袋の収納容量を増すことができる。袋の中の古紙が適当な量に達したとき、ミシン目において切断すると、中央のテープ２と側方のテープ３が形成されるので、中央のテープ２で古紙を結束し、側方のテープ３を引き出し、テープ以外の部分のプラスチックフイルムは廃棄する。中央のテープは、収納された古紙の中央部で古紙を結束し、中央のテープの左右の重量の均衡がとれるので、結束した中央のテープでいったん古紙を持ち上げ、引き出した側方のテープを中央のテープと直交する方向に置き直して古紙を結束し、図１(ｄ)に示す古紙を十文字状にテープで結束した状態として回収に寄託することができる。
【０００７】
図２(ａ)は、本発明の古紙回収袋の他の態様の平面図であり、図２(ｂ)は、そのＢ−Ｂ線切断部端面図である。本態様の古紙回収袋は、図１に示す態様の古紙回収袋と、袋上縁より縁底縁に達するミシン目を４本有する点と、袋上縁に折り返しを有しない点において異なるが、図１に示す態様の古紙回収袋とほぼ同様に使用することができる。袋を開いて長方形の底面を有する直方体状の袋として古紙を収納し、袋の中の古紙が適当な量に達したとき、ミシン目１において切断すると、中央のテープ２と２本の側方のテープ３が形成される。中央のテープで古紙を結束し、２本の側方のテープを引き出し、テープ以外の部分のプラスチックフイルムは廃棄する。中央のテープは、収納された古紙の中央部で古紙を結束し、中央のテープの左右の重量の均衡がとれるので、結束した中央のテープでいったん古紙を持ち上げ、引き出した２本の側方のテープを必要な位置に挿入してさらに古紙を結束し、回収に寄託することができる。
本発明の古紙回収袋の他の態様は、両側縁にガゼット部を有し、底縁が袋の幅方向に直線状に溶着され、袋側面に、袋上縁より袋底縁に達する３本以上のミシン目が設けられてなる古紙回収袋である。図３(ａ)は、本態様の古紙回収袋の平面図であり、図３(ｂ)は、そのＣ−Ｃ線切断部端面図である。本態様の古紙回収袋は、袋上縁より袋底縁に達する３本のミシン目１を有し、古紙収納後にミシン目において切断することにより、収納された古紙を結束する中央のテープ２と側方のテープ３の合計２本のテープが一対の側面に形成される。本態様の古紙回収袋は、両側縁にガゼット部１１を有し、底縁１２が袋の幅方向に溶着されている。３本のミシン目は、２本のミシン目が袋の中央線に対して左右対称に設けられ、残りの１本のミシン目がさらにその外側、すなわち、側縁寄りに設けられている。本態様の古紙回収袋を開くと、長辺が袋の幅に等しく、短辺がガゼット部の折り込み幅の２倍である長方形の底面を有する直方体状の袋となる。
【０００８】
本態様の古紙回収袋を使用するときは、袋を開いて長方形の底面を有する直方体状とする。この状態においては、本態様の古紙回収袋は、その形態において、従来の紙製やプラスチックフイルム製の古紙回収袋となんら異なる点はないので、例えば、読了後の新聞紙を折り畳んで逐次投入していくと、投入された新聞紙は袋の形状にしたがっておおむね揃えられ、積み重ねられていく。袋の中の古紙が適当な量に達したとき、ミシン目において切断すると、中央のテープ２と側方のテープ３が形成されるので、中央のテープ２で古紙を結束し、側方のテープ３を引き出し、テープ以外の部分のプラスチックフイルムは廃棄する。中央のテープは、収納された古紙の中央部で古紙を結束し、中央のテープの左右の重量の均衡がとれるので、結束した中央のテープでいったん古紙を持ち上げ、引き出した側方のテープを中央のテープと直交する方向に置き直して、古紙を結束し、古紙を十文字状にテープで結束した状態として回収に寄託することができる。
本発明の古紙回収袋を使用することにより、古紙収納時には袋の状態で簡便に古紙を収納することができ、古紙を回収に寄託するときには、手間をかけることなくテープで結束した状態とすることができる。本発明の古紙回収袋は、プラスチックフイルム製なので、形成される古紙を結束するテープは、回収時の取り扱いに必要かつ十分な強度を有する一方、古紙選別場において容易に切断することができる。従来、時として強度の大きい延伸テープヤーンなどにより古紙が結束されて回収に寄託され、ヤーンの切断に手間どる場合も見られたが、本発明の古紙回収袋を使用することにより、このような作業上の問題は解消する。
【０００９】
本発明の古紙回収袋の製造方法の第１の態様は、長尺のチューブ状のプラスチックフイルムを移送しつつ、(１)両側縁に１対のＶ字形のガゼット部を有する帯状フイルムを形成する工程、(２)一方のガゼット部の間に断熱性の受け台を挿入し、受け台の両側から熱溶着刃を押し付けて帯状フイルムの各１枚の表面フイルムとガゼット部フイルムをＶ字形に溶着する工程、(３)他方のガゼット部の内折り線において、切断刃を入れて切断する工程、(４)隣接するＶ字形溶着線の中間の位置に左右対称な２本のミシン目と、さらに該ミシン目よりＶ字形溶着線寄りに１本又は複数本のミシン目を入れる工程、(５)Ｖ字形溶着線のＶ字の頂点近傍において、各２枚の表面フイルムとガゼット部フイルムを幅方向に溶着する工程及び(６)帯状フイルムをＶ字形溶着線のＶ字の頂点において幅方向に切断する工程を有する。
図４は、本態様の古紙回収袋の製造方法の工程説明図である。長尺のチューブ状のプラスチックフイルム１３を連続的にガゼッター１４に移送し、両側縁に１対のＶ字形のガゼット部１５を有する帯状のフイルム１６を形成する。次に、好ましくは帯状フイルムの移送方式をピッチ移送に切り替え、帯状フイルムの一方の側縁のガゼット部の間に断熱性の受け台１７を挿入し、受け台の両側からＶ字形の熱溶着刃１８を押し付け、帯状フイルムの各１枚の表面フイルムとガゼット部フイルムを溶着してＶ字形の溶着線１９を形成する。また、帯状フイルムの他方の側縁のガゼット部の間に切断刃２０を入れて、内折り線で切断する。ガゼット部の内折り線で切断する工程は、Ｖ字形の溶着線を形成する工程の前に置くこともできる。次いで、ミシン刃２１により、帯状フイルムの幅方向に２枚の表面フイルムと２枚のガゼット部フイルムの合計４枚のフイルムを貫通する３本のミシン目２２を入れる。さらに、Ｖ字形の溶着線のＶ字の頂点近傍において、直線状の熱溶着刃２３により２枚の表面フイルムと２枚のガゼット部フイルムのすべてを帯状フイルムの幅方向に直線状に溶着し、Ｖ字形の溶着線の頂点において、直線状の切断刃２４により帯状フイルムの幅方向に切断して、図１に示す態様の、上縁に折り返しを有する本発明の古紙回収袋２５を得る。帯状フイルムの幅方向にミシン目を入れる工程は、Ｖ字形の溶着線を形成する前に置くこともでき、あるいは、帯状フイルムの幅方向の溶着線を形成する工程の後に置くこともできる。
【００１０】
本発明の古紙回収袋の製造方法の第２の態様は、長尺のチューブ状のプラスチックフイルムを移送しつつ、(１)両側縁に１対のＶ字形のガゼット部を有する帯状フイルムを形成する工程、(２)ガゼット部の間に断熱性の受け台を挿入し、受け台の両側から熱溶着刃を押し付けて帯状フイルムの各１枚の表面フイルムとガゼット部フイルムをＶ字形に溶着する工程、(３)帯状フイルムの中央において、帯状フイルムを長手方向に切断する工程、(４)隣接するＶ字形溶着線の中間の位置に左右対称な２本のミシン目と、さらに該ミシン目よりＶ字形溶着線寄りに１本又は複数本のミシン目を入れる工程及び(５)Ｖ字形溶着線のＶ字の頂点近傍において、各２枚の表面フイルムとガゼット部フイルムを幅方向に溶着する工程及び(６)帯状フイルムをＶ字形の溶着線のＶ字の頂点において幅方向に切断する工程を有する。
図５は、本態様の古紙回収袋の製造方法の工程説明図である。長尺のチューブ状のプラスチックフイルム１３を連続的にガゼッター１４に移送し、両側縁に１対のＶ字形のガゼット部１５を有する帯状のフイルム１６を形成する。次に、好ましくは帯状フイルムの移送方式をピッチ移送に切り替え、帯状フイルムの両側縁のガゼット部の間に断熱性の受け台１７を挿入し、受け台の両側からＶ字形の熱溶着刃１８を押し付け、帯状フイルムの各１枚の表面フイルムとガゼット部フイルムを溶着してＶ字形の溶着線１９を形成する。また、帯状フイルムの中央において、切断刃２６により帯状フイルムを長手方向に切断する。帯状フイルムの中央において長手方向に切断する工程は、Ｖ字形の溶着線を形成する工程の前に置くこともできる。次いで、ミシン刃２１により、帯状フイルムの幅方向に２枚の表面フイルムと２枚のガゼット部フイルムの合計４枚のフイルムを貫通する４本のミシン目２２を入れる。さらに、Ｖ字形の溶着線のＶ字の頂点近傍において、直線状の熱溶着刃２３により２枚の表面フイルムと２枚のガゼット部フイルムのすべてを帯状フイルムの幅方向に直線状に溶着し、Ｖ字形の溶着線の頂点において、直線状の切断刃２４により帯状フイルムの幅方向に切断して、図２に示す態様の本発明の古紙回収袋２７を得る。帯状フイルムの幅方向にミシン目を入れる工程は、Ｖ字形の溶着線を形成する前に置くこともでき、あるいは、帯状フイルムの幅方向の溶着線を形成する工程の後に置くこともできる。本態様の製造方法によれば、帯状フイルムの幅方向に、同時に２個の本発明の古紙回収袋を製造することができる。
【００１１】
本発明の古紙回収袋の製造方法の第３の態様は、長尺のチューブ状のプラスチックフイルムを移送しつつ、(１)両側縁に１対のＶ字形のガゼット部を有する帯状フイルムを形成する工程、(２)帯状フイルムの中央線に対して左右対称な２本のミシン目と、該ミシン目より帯状フイルムの両側縁寄りの位置に１本又は複数本のミシン目を入れる工程、(３)帯状フイルムの幅方向に各２枚の表面フイルムとガゼット部フイルムすべてを直線状に溶着する工程及び(４)幅方向の溶着線の近傍で帯状フイルムを切断する工程を有する。
図６は、本態様の古紙回収袋の製造方法の工程説明図である。長尺のチューブ状のプラスチックフイルム１３を連続的にガゼッター１４に移送し、両側縁に１対のＶ字形のガゼット部１５を有する帯状のフイルム１６を形成する。次に、ミシン刃２８により、帯状フイルムの長手方向に、中央線に対して左右対称に、帯状のフイルムを貫通する２本のミシン目２９と、このミシン目より側縁寄りに１本のミシン目を入れる。これらのミシン目は、２枚の表面フイルムと２枚のガゼット部フイルムが重なる位置に入れられる場合は、合計４枚のフイルムを貫通し、２枚の表面フイルムのみでガゼット部フイルムが重ならない位置に入れる場合は、表面フイルムのみに入れられる。次いで、好ましくは帯状フイルムの移送方式をピッチ移送に切り替え、直線状の熱溶着刃３０により２枚の表面フイルムと２枚のガゼット部フイルムのすべてを帯状フイルムの幅方向に直線状に溶着し、直線状の切断刃３１により幅方向溶着線の近傍において切断して、図３に示す態様の本発明の古紙回収袋３２を得る。
【００１２】
【発明の効果】
本発明の古紙回収袋は、古紙収納時には長方形の底面を有する袋形状をなし、古紙収納後に袋に設けられたミシン目において切断することにより、袋の一対の側面に２本以上のテープが形成され、中央のテープにより古紙を結束し、さらに側方のテープを用いて古紙を結束することにより、手間をかけることなく、簡単に古紙を紐でしばった状態とすることができる。また、本発明の古紙回収袋の製造方法によれば、このような古紙回収袋を簡単な工程により、容易かつ経済的に製造することができる。
【図面の簡単な説明】
【図１】図１は、本発明の古紙回収袋の一態様の平面図、切断部端面図及び斜視図である。
【図２】図２は、本発明の古紙回収袋の他の態様の平面図及び切断部端面図である。
【図３】図３は、本発明の古紙回収袋の他の態様の平面図及び切断部端面図である。
【図４】図４は、本発明の古紙回収袋の製造方法の一態様の工程説明図である。
【図５】図５は、本発明の古紙回収袋の製造方法の他の態様の工程説明図である。
【図６】図６は、本発明の古紙回収袋の製造方法の他の態様の工程説明図である。
【符号の説明】
１  ミシン目
２  中央のテープ
３  側方のテープ
４  ガゼット部
５  折り返し
６  側縁
７  ガゼット部フイルム
８  袋表面フイルム
９  ガゼット内折り端
１０  傾斜溶着線
１１  傾斜溶着線と側縁の交点
１２  底縁
１３  プラスチックフイルム
１４  ガゼッター
１５  Ｖ字形のガゼット部
１６  帯状のフイルム
１７  受け台
１８  Ｖ字形の熱溶着刃
１９  Ｖ字形の溶着線
２０  切断刃
２１  ミシン刃
２２  ミシン目
２３  直線状の熱溶着刃
２４  直線状の切断刃
２５  古紙回収袋
２６  切断刃
２７  古紙回収袋
２８  ミシン刃
２９  ミシン目
３０  直線状の熱溶着刃
３１  直線状の切断刃
３２  古紙回収袋
【図１】
0004421721.tif 000002
【図２】
0004421721.tif 000003
【図３】
0004421721.tif 000004
【図４】
0004421721.tif 000005
【図５】
0004421721.tif 000006
【図６】
0004421721.tif 000007